【手続補正書】
【提出日】平成20年2月20日(2008.2.20)
【手続補正１】
【補正対象書類名】明細書
【補正対象項目名】特許請求の範囲
【補正方法】変更
【補正の内容】
【特許請求の範囲】
【請求項１】
複数の患者に投与される医薬品や輸血製剤等の投与剤を各患者ごとの投与剤に仕分ける際に、その投与剤が当該患者に正規に処方されたものかどうかのチェックに使用される投与剤のチェック装置であって、
入力される音声を認識する音声認識部と、
投薬剤、点滴、注射薬等の処方可能な各種の医薬品名及び各種輸血製剤に関する輸血製剤情報が予め登録された登録部と、
前記音声認識部により認識された音声データが各患者毎の処方に従って読み上げられる医薬品名或いは輸血製剤情報であるときにその医薬品名或いは輸血製剤情報が前記登録部に登録されたものかどうか照合する照合部と、
前記照合部により予め登録されたものと判断されたときに、前記音声認識部により認識された前記各患者毎の処方に従って読み上げられた医薬品名及びその用量、用法或いは輸血製剤情報の音声データを保存する保存部と、
前記照合部により登録されたものと判断されて前記保存部に保存された前記医薬品名及びその用量、用法或いは輸血製剤情報の音声データを音声合成してスピーカより出力し、前記照合部により登録されたものではないと判断されたときに登録なしを表わす音声データを音声合成してスピーカより出力する音声合成部と
を備えていることを特徴とする投与剤のチェック装置。
【請求項２】
各患者それぞれに割り付けられコード化された識別情報を取得する取得部を備え、
前記照合部が、前記取得部により取得された各患者の識別情報に基づいて、前記音声認識部により認識された音声データが当該患者の処方に従って読み上げられたものかどうかを判断することを特徴とする請求項１に記載の投与剤のチェック装置。
【請求項３】
前記保存部が、前記医薬品名及びその用量、用法、輸血製剤情報のほかに、看護記録及び看護引継連絡事項の音声データを保存し、
所定ボタンの操作により前記保存部に保存された前記音声データを読み出す読出部と、前記音声合成部により音声合成される医薬品名及びその用量、用法或いは輸血製剤情報を確認シールに印刷する印刷部とを備え、
前記音声合成部が、前記読出部により読み出された前記音声データを音声合成して出力し、
前記印刷部が、前記取得部により取得された対象患者の前記識別情報及び前記読出部により読み出された前記音声データを、文字変換して前記確認シールを含む所定の用紙に印刷する
ことを特徴とすることを特徴とする請求項２に記載の投与剤のチェック装置。
【請求項４】
前記取得部が、バーコードリーダから成り、各患者に装着される認識票、及び、その他の帳票にバーコード化されて表示された前記識別情報を読み取り、
前記保存部が、各患者毎に医薬品名及びその用量、用法或いは輸血製剤情報の音声データを保存し、
前記読出部が、前記取得部による前記識別情報の読み取り後における前記所定ボタンの操作により、前記保存部に保存されている医薬品名及びその用量、用法或いは輸血製剤情報の音声データのうち、前記取得部により読み取られた前記識別情報に対応する患者の医薬品名及びその用量、用法或いは輸血製剤情報の音声データを読み出し、
前記音声合成部が、前記読出部により読み出された前記音声データによる医薬品名及びその用量、用法或いは輸血製剤情報を音声合成して出力するものである
ことを特徴とする請求項３に記載の投与剤のチェック装置。
【請求項５】
再生ボタンの操作により前記音声合成部により音声合成される前記音声データを文字変換して画面表示する表示部を備えていることを特徴とする請求項４に記載の投与剤のチェック装置。
【請求項６】
前記確認シールが、対象患者に投与される医薬品或いは輸血製剤として仕分けられた医薬品或いは輸血製剤を収容する収容体に貼付されるものであることを特徴とする請求項３ないし５のいずれかに記載の投与剤のチェック装置。
【請求項７】
複数の患者に投与される医薬品や輸血製剤等の投与剤を各患者ごとの投与剤に仕分ける際に、その投与剤が当該患者に正規に処方されたものかどうかをチェックする投与剤のチェック方法であって、
投薬剤、点滴、注射薬等の処方可能な各種の医薬品名及び各種輸血製剤に関する輸血製剤情報を登録部に予め登録しておき、
各患者毎の処方に従って音声により読み上げられる医薬品名及びその用量、用法或いは輸血製剤情報を音声認識し、
音声認識した医薬品名及びその用量、用法或いは輸血製剤情報が前記登録部に予め登録されたものかどうか照合し、
照合の結果予め登録されたものであるときには、認識した医薬品名及びその用量、用法或いは輸血製剤情報を音声合成してスピーカより出力し、音声入力、及び、入力された音声の復音により、該当する患者に投与されるべき医薬品を確認しつつ処方通りの仕分けかのチェックを可能にし、
照合の結果予め登録されたものでないときに、登録なしを表わす音声をスピーカより合成出力して登録なしを報知する
ことを特徴とする投与剤のチェック方法。
【手続補正２】
【補正対象書類名】明細書
【補正対象項目名】０００８
【補正方法】変更
【補正の内容】
【０００８】
【課題を解決するための手段】
上記した目的を達成するために、本発明にかかる投与剤のチェック装置は、複数の患者に投与される医薬品や輸血製剤等の投与剤を各患者ごとの投与剤に仕分ける際に、その投与剤が当該患者に正規に処方されたものかどうかのチェックに使用される投与剤のチェック装置であって、入力される音声を認識する音声認識部と、投薬剤、点滴、注射薬等の処方可能な各種の医薬品名及び各種輸血製剤に関する輸血製剤情報が予め登録された登録部と、前記音声認識部により認識された音声データが各患者毎の処方に従って読み上げられる医薬品名或いは輸血製剤情報であるときにその医薬品名或いは輸血製剤情報が前記登録部に登録されたものかどうか照合する照合部と、前記照合部により予め登録されたものと判断されたときに、前記音声認識部により認識された前記各患者毎の処方に従って読み上げられた医薬品名及びその用量、用法或いは輸血製剤情報の音声データを保存する保存部と、前記照合部により登録されたものと判断されて前記保存部に保存された前記医薬品名及びその用量、用法或いは輸血製剤情報の音声データを音声合成してスピーカより出力し、前記照合部により登録されたものではないと判断されたときに登録なしを表わす音声データを音声合成してスピーカより出力する音声合成部とを備えていることを特徴としている（請求項１）。
【手続補正３】
【補正対象書類名】明細書
【補正対象項目名】０００９
【補正方法】変更
【補正の内容】
【０００９】
このような構成によれば、各患者毎の処方に従って音声により医薬品名及びその用量、用法或いは輸血製剤情報が読み上げられると、その音声が音声認識部により認識され、照合部により、読み上げられた医薬品名或いは輸血製剤情報が登録部に登録されているか否か照合され、照合の結果、登録されたものと判断されたときに、認識された音声データが保存部に保存されるとともに、認識された音声データによる医薬品名及びその用量、用法或いは輸血製剤情報が音声合成部により音声合成されてスピーカより出力される。
【手続補正４】
【補正対象書類名】明細書
【補正対象項目名】００１０
【補正方法】変更
【補正の内容】
【００１０】
そのため、例えば病院の薬局等から各病棟に搬送されてきた医薬品或いは輸血製剤を仕分ける際に、処方箋の読み上げによる医薬品名及びその用量、用法或いは輸血製剤情報の音声が音声認識され、照合部による照合の結果、読み上げられた医薬品名及びその用量、用法或いは輸血製剤情報が登録部にあれば、認識された医薬品名及びその用量、用法或いは輸血製剤情報の音声データが、音声合成部により音声合成されスピーカより出力されて復音され、登録部にないときには、登録なしを表わす音声データがスピーカより出力されるため、読み間違いの可能性の有無を容易に判断でき、音声の聞き取りと処方箋の目視との双方のチェックによって、患者毎に医薬品或いは輸血製剤を仕分ける段階における人為的な錯誤による仕分け間違いや患者の取り違いを未然に防止することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、本発明にかかる投与剤のチェック装置は、各患者それぞれに割り付けられコード化された識別情報を取得する取得部を備え、前記照合部が、前記取得部により取得された各患者の識別情報に基づいて、前記音声認識部により認識された音声データが当該患者の処方に従って読み上げられたものかどうかを判断することを特徴としている（請求項２）。
【手続補正７】
【補正対象書類名】明細書
【補正対象項目名】００１３
【補正方法】変更
【補正の内容】
【００１３】
このような構成によれば、各患者それぞれに割り付けられコード化された識別情報に基づき、各患者に投与される医薬品として仕分ける際に、患者毎の処方に従って音声により読み上げられる医薬品名及びその用量、用法が音声認識部により音声認識され、認識された医薬品名及びその用量、用法の音声データが音声合成部により音声合成されてスピーカより出力されることになり、読み上げによる音声入力、及び、入力された音声のスピーカからの復音と、処方箋の目視との二重のチェックにより、該当する患者に投与されるべき医薬品が処方通りに確実に仕分けることができる。
【手続補正８】
【補正対象書類名】明細書
【補正対象項目名】００１４
【補正方法】変更
【補正の内容】
【００１４】
また、本発明にかかる投与剤のチェック装置は、前記保存部が、前記医薬品名及びその用量、用法、輸血製剤情報のほかに、看護記録及び看護引継連絡事項の音声データを保存し、所定ボタンの操作により前記保存部に保存された前記音声データを読み出す読出部と、前記音声合成部により音声合成される医薬品名及びその用量、用法或いは輸血製剤情報を確認シールに印刷する印刷部とを備え、前記音声合成部が、前記読出部により読み出された前記音声データを音声合成して出力し、前記印刷部が、前記取得部により取得された対象患者の前記識別情報及び前記読出部により読み出された前記音声データを、文字変換して前記確認シールを含む所定の用紙に印刷することを特徴としている（請求項３）。
【手続補正９】
【補正対象書類名】明細書
【補正対象項目名】００１５
【補正方法】変更
【補正の内容】
【００１５】
このような構成によれば、医薬品名及びその用量、用法、輸血製剤情報のほか、看護記録及び看護引継連絡事項を保存部により保存しておき、再生ボタンの操作によってこれを音声合成部により音声合成できるため、書類だけでなく音声合成された音声により、例えば夜勤時の看護記録の管理や看護引継連絡事項の伝達をより確実に行うことができる。また、取得部により取得された患者の識別情報が印刷部により確認シールに印刷されるため、印刷部により確認シールに印刷された患者の識別情報及び医薬品名或いは輸血製剤情報と、その患者の処方箋に記載された医薬品名或いは輸血製剤情報とを目視により対比することで、仕分けされた医薬品或いは輸血製剤がその患者に投与すべきものであるかどうか容易に確認することができる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
また、本発明にかかる投与剤のチェック装置は、前記取得部が、バーコードリーダから成り、各患者に装着される認識票、及び、その他の帳票にバーコード化されて表示された前記識別情報を読み取り、前記保存部が、各患者毎に医薬品名及びその用量、用法或いは輸血製剤情報の音声データを保存し、前記読出部が、前記取得部による前記識別情報の読み取り後における前記所定ボタンの操作により、前記保存部に保存されている医薬品名及びその用量、用法或いは輸血製剤情報の音声データのうち、前記取得部により読み取られた前記識別情報に対応する医薬品名及びその用量、用法或いは輸血製剤情報の音声データを読み出し、前記音声合成部が、前記読出部により読み出された前記音声データによる医薬品名及びその用量、用法或いは輸血製剤情報を音声合成して出力するものであることを特徴としている（請求項４）。
【手続補正１４】
【補正対象書類名】明細書
【補正対象項目名】００２０
【補正方法】変更
【補正の内容】
【００２０】
このような構成によれば、バーコードリーダから成る取得部により、入院患者のベッドサイドにおいてその患者のバーコード化された識別情報を読み取り、所定ボタンを操作することで、入院患者に投与すべき医薬品名及びその用量、用法或いは輸血製剤情報の復音による再確認を、入院患者のベッドサイドにおいても行うことができる。
【手続補正１５】
【補正対象書類名】明細書
【補正対象項目名】００２１
【補正方法】変更
【補正の内容】
【００２１】
また、本発明にかかる投与剤のチェック装置は、再生ボタンの操作により前記音声合成部により音声合成される前記音声データを文字変換して画面表示する表示部を備えていることを特徴としている（請求項５）。このような構成によれば、表示部の画面によっても確認することができ、仕分け段階における仕分け間違いや患者の取り違いの防止をよりいっそう確実に行うことができる。
【手続補正１６】
【補正対象書類名】明細書
【補正対象項目名】００２２
【補正方法】変更
【補正の内容】
【００２２】
また、本発明にかかる投与剤のチェック装置は、前記確認シールが、対象患者に投与される医薬品或いは輸血製剤として仕分けられた医薬品或いは輸血製剤を収容する収容体に貼付されるものであることを特徴としている（請求項６）。このような構成によれば、仕分けられた医薬品或いは輸血製剤の収容体に、収容されている医薬品の名前或いは輸血製剤に関する情報等が記載された確認シールが貼付されるため、その医薬品或いは輸血製剤を投与すべき患者の取り違えることをより確実に防止することができる。
【手続補正１７】
【補正対象書類名】明細書
【補正対象項目名】００２５
【補正方法】変更
【補正の内容】
【００２５】
また、本発明にかかる投与剤のチェック方法は、複数の患者に投与される医薬品や輸血製剤等の投与剤を各患者ごとの投与剤に仕分ける際に、その投与剤が当該患者に正規に処方されたものかどうかをチェックする投与剤のチェック方法であって、投薬剤、点滴、注射薬等の処方可能な各種の医薬品名及び各種輸血製剤に関する輸血製剤情報を登録部に予め登録しておき、各患者毎の処方に従って音声により読み上げられる医薬品名及びその用量、用法或いは輸血製剤情報を音声認識し、音声認識した医薬品名及びその用量、用法或いは輸血製剤情報が前記登録部に予め登録されたものかどうか照合し、照合の結果予め登録されたものであるときには、認識した医薬品名及びその用量、用法或いは輸血製剤情報を音声合成してスピーカより出力し、音声入力、及び、入力された音声の復音により、該当する患者に投与されるべき医薬品を確認しつつ処方通りの仕分けかのチェックを可能にし、照合の結果予め登録されたものでないときに、登録なしを表わす音声をスピーカより合成出力して登録なしを報知することを特徴としている（請求項７）。
【手続補正１８】
【補正対象書類名】明細書
【補正対象項目名】００２６
【補正方法】変更
【補正の内容】
【００２６】
このような構成によれば、例えば病院の薬局から各病棟に搬送されてきた医薬品或いは輸血製剤を仕分ける際に、処方箋の読み上げによる医薬品名及びその用量、用法或いは輸血製剤情報の音声が音声認識され、照合の結果、読み上げられた医薬品名及びその用量、用法或いは輸血製剤情報が登録部に登録されていれば、認識された医薬品名及びその用量、用法或いは輸血製剤情報の音声データが、音声合成部により音声合成されスピーカより出力されて復音され、登録部にないときには、登録なしを表わす音声データがスピーカより出力されるため、読み間違いの可能性の有無を容易に判断でき、音声の聞き取りと処方箋の目視との二重のチェックによって、患者毎に医薬品或いは輸血製剤を仕分ける段階における人為的な錯誤による仕分け間違いや患者の取り違いを未然に防止することができる。
【手続補正１９】
【補正対象書類名】明細書
【補正対象項目名】００３２
【補正方法】変更
【補正の内容】
【００３２】
また、キーボード１０の再生ボタンの操作により、ＣＰＵ３により表示部としてのＬＣＤ（液晶ディスプレイ）から成るディスプレイ１２が制御され、音声認識された医薬品名及びその用量、用法のほか、音声認識された看護記録や引継連絡事項が画面表示される。
【手続補正２０】
【補正対象書類名】明細書
【補正対象項目名】００３７
【補正方法】変更
【補正の内容】
【００３７】
更に、図１に示すように、院内ＬＡＮ等により、上記したホストコンピュータと通信可能に接続された通信部１６が設けられ、ＣＰＵ３によりこの通信部１６が制御され、音声認識部２により音声認識された音声データが通信部１６を介してホストコンピュータに通信され、これにより音声認識された音声データをホストコンピュータ側で一元的に管理できるようになっている。尚、この通信部１６は、このようにホストコンピュータ側で一元管理を行う必要がある場合に設ければよく、常設している必要はない。
【手続補正２１】
【補正対象書類名】明細書
【補正対象項目名】００５６
【補正方法】変更
【補正の内容】
【００５６】
【発明の効果】
以上のように、請求項１、７に記載の発明によれば、例えば病院の薬局から各病棟に搬送されてきた医薬品或いは輸血製剤を仕分ける際に、処方箋の読み上げによる医薬品名及びその用量、用法或いは輸血製剤情報の音声が音声認識され、照合の結果、読み上げられた医薬品名及びその用量、用法或いは輸血製剤情報が登録部に登録されていれば、認識された医薬品名及びその用量、用法或いは輸血製剤情報の音声データが音声合成されスピーカより出力されて復音され、登録部にないときには、登録なしを表わす音声データがスピーカより出力されるため、読み間違いの可能性の有無を容易に判断でき、音声の聞き取りと処方箋の目視との二重のチェックによって、患者毎に医薬品或いは輸血製剤を仕分ける段階における人為的な錯誤による仕分け間違いや患者の取り違いを未然に防止することが可能になり、人為的医療ミスの防止策として極めて有効である。
【手続補正２２】
【補正対象書類名】明細書
【補正対象項目名】００５７
【補正方法】削除
【補正の内容】
【手続補正２３】
【補正対象書類名】明細書
【補正対象項目名】００５８
【補正方法】変更
【補正の内容】
【００５８】
また、請求項２に記載の発明によれば、各患者それぞれに割り付けられコード化された識別情報に基づき、各患者に投与される医薬品として仕分ける際に、患者毎の処方に従って音声により読み上げられる医薬品名及びその用量、用法が音声認識部により音声認識され、認識された医薬品名及びその用量、用法の音声データが音声合成部により音声合成されてスピーカより出力されることになり、読み上げによる音声入力、及び、入力された音声のスピーカからの復音と、処方箋の目視との二重のチェックにより、該当する患者に投与されるべき医薬品が処方通りに確実に仕分けることが可能になる。
【手続補正２４】
【補正対象書類名】明細書
【補正対象項目名】００５９
【補正方法】変更
【補正の内容】
【００５９】
また、請求項３に記載の発明によれば、医薬品名及びその用量、用法、輸血製剤情報のほか、看護記録及び看護引継連絡事項を保存部により保存しておき、再生ボタンの操作によってこれを音声合成部により音声合成できるため、書類だけでなく音声合成された音声により、例えば夜勤時の看護記録の管理や看護引継連絡事項の伝達をより確実に行うことが可能になる。また、取得部により取得された患者の識別情報が印刷部により確認シールに印刷されるため、印刷部により確認シールに印刷された患者の識別情報及び医薬品名或いは輸血製剤情報と、その患者の処方箋に記載された医薬品名或いは輸血製剤情報とを目視により対比することで、仕分けされた医薬品或いは輸血製剤がその患者に投与すべきものであるかどうか容易に確認することが可能になる。
【手続補正２５】
【補正対象書類名】明細書
【補正対象項目名】００６０
【補正方法】削除
【補正の内容】
【手続補正２６】
【補正対象書類名】明細書
【補正対象項目名】００６１
【補正方法】削除
【補正の内容】
【手続補正２７】
【補正対象書類名】明細書
【補正対象項目名】００６２
【補正方法】変更
【補正の内容】
【００６２】
また、請求項４に記載の発明によれば、バーコードリーダから成る取得部により、入院患者のベッドサイドにおいてその患者のバーコード化された識別情報を読み取り、再生ボタンを操作することで、入院患者に投与すべき医薬品の復音による再確認を、入院患者のベッドサイドにおいても行うことが可能になる。
【手続補正２８】
【補正対象書類名】明細書
【補正対象項目名】００６３
【補正方法】変更
【補正の内容】
【００６３】
また、請求項５に記載の発明によれば、表示部の画面によっても確認することができ、仕分け段階における仕分け間違いや患者の取り違いの防止をよりいっそう確実に行うことが可能になる。
【手続補正２９】
【補正対象書類名】明細書
【補正対象項目名】００６４
【補正方法】変更
【補正の内容】
【００６４】
また、請求項６に記載の発明によれば、仕分けられた医薬品或いは輸血製剤の収容体に、収容されている医薬品の名前或いは輸血製剤に関する情報等が記載された確認シールが貼付されるため、その医薬品或いは輸血製剤を投与すべき患者の取り違えることをより確実に防止することが可能になる。
【手続補正３０】
【補正対象書類名】明細書
【補正対象項目名】００６５
【補正方法】削除
【補正の内容】